(57)【要約】【課題】保護シートを間に挟んだりせずに、全部の画像記録面を保護することのできる画像記録媒体の複数枚セットを提供する。【解決手段】表面が画像記録面Ｐとされた複数枚の画像記録媒体Ｓを積層してなる画像記録媒体の複数枚セットであって、最下層の画像記録媒体Ｓを、裏面が下、表面が上となる向きで配置し、その上側に順次、表面と表面、裏面と裏面が向かい合う向きで複数枚の画像記録媒体Ｓを積層し、最上層の画像記録媒体Ｓの表面が上向きの場合、その表面上に保護シート３０を積層した。このセットを、画像記録媒体の積層状態を保持可能な防湿袋に収容して、箱に詰めてパッケージ品とした。【選択図】図１
2005074812.tif 000002
【特許請求の範囲】
【請求項１】
表面が画像記録面とされた複数枚の画像記録媒体を積層してなる画像記録媒体積層体であって、
最下層の前記画像記録媒体が、裏面が下、表面が上となる向きで配置され、その上側に順次、表面と表面、裏面と裏面が向かい合う向きで複数枚の画像記録媒体が積層されたことを特徴とする画像記録媒体積層体。
【請求項２】
最上層の前記画像記録媒体の表面が上向きの場合、その表面上に保護シートが積層されていることを特徴とする請求項１記載の画像記録媒体積層体。
【請求項３】
前記画像記録媒体が、表面側に画像記録装置による画像記録が可能な画像記録面を有する基体と、前記基体の裏面側に設けられ基体を載置面に対して所定の角度に保持可能な基体保持部と、を具備するものであることを特徴とする請求項１または２記載の画像記録媒体積層体。
【請求項４】
請求項１〜３の何れか１項に記載の画像記録媒体積層体が、画像記録媒体の積層状態を保持可能な防湿袋に収容され、箱に詰められたことを特徴とする画像記録媒体パッケージ。
【請求項５】
表面が画像記録面とされた複数枚の画像記録媒体を積層する画像記録媒体の積層方法であって、
最下層の前記画像記録媒体を、裏面が下、表面が上となる向きで配置し、その上側に順次、表面と表面、裏面と裏面が向かい合う向きで複数枚の画像記録媒体を積層することを特徴とする画像記録媒体の積層方法。
【請求項６】
最上層の前記画像記録媒体の表面が上向きの場合、その表面上に保護シートを積層することを特徴とする請求項５記載の画像記録媒体の積層方法。
【請求項７】
前記画像記録媒体が、表面側に画像記録装置による画像記録が可能な画像記録面を有する基体と、前記基体の裏面側に設けられ基体を載置面に対して所定の角度に保持可能な基体保持部と、を具備するものであることを特徴とする請求項５または６記載の画像記録媒体の積層方法。
【請求項８】
請求項５〜７の何れか１項に記載の画像記録媒体の積層方法により積層された前記複数枚の画像記録媒体を、前記画像記録媒体の積層状態を保持可能な防湿袋に収容して、箱に詰めたことを特徴とする画像記録媒体の保管方法。
【発明の詳細な説明】
【技術分野】
【０００１】
本発明は、特に厚みのある画像記録媒体を複数枚積層してなる画像記録媒体積層体、画像記録媒体パッケージ、画像記録媒体の積層方法および画像記録媒体の保管方法に関する。
【背景技術】
【０００２】
デジタルカメラや高画質プリンタの普及に伴い、家庭でも写真のプリントが手軽にできるようになってきている。例えば、インクジェットプリンタと専用のインクジェット用紙を用いることにより、銀塩写真並みの高画質写真のプリントが可能である。このような写真のプリントは、専用の高画質用紙等の画像記録媒体に行うのが一般的であり、その種の高画質画像記録媒体が広く提供されている。
【０００３】
ところで、この種の画像記録媒体は、通常は、画像記録面を同じ方向に向けて積層し、多数枚を束にして梱包され販売に供されている。従来の画像記録媒体は、あまり厚いものではなく、しかも、表裏面とも極めて平滑なものであるので、これで特に問題なかったが、例えば、通常の用紙よりもかなり厚目の画像記録媒体を複数枚積層することを考えた場合、しかも、裏面側に何らかの加工が施されている画像記録媒体を積層することを考えた場合、表面側の画像記録面に裏面側が向かい合わせなっていることで、画像記録面に何らかの悪影響が出る可能性がある。例えば、画像記録面に傷がついたり、剥がれが生じたり、汚れが付いたりする可能性がある。そうなると、画像を記録した際に劣化の原因となる。
【０００４】
従って、そのようなおそれが考えられる場合は、画像記録媒体の間に保護シートを挟むことが通常は行われている。
【発明の開示】
【発明が解決しようとする課題】
【０００５】
しかし、保護シートを画像記録媒体の各間に挟むと、その分だけ全体の厚さが厚くなってしまう。また、保護シートは、特に他の用途を想定していないので、使用枚数分が無駄になってしまい、結果的にコストアップにつながる。
また、画像記録媒体の積層時に保護シートを挟む手間が生じるため、生産性が低下してしまう。
【０００６】
本発明は、上記事情を考慮してなされたもので、保護シートを挟んだりせずに、全部の画像記録面を保護することのできる画像記録媒体の複数枚セット及びそのパッケージ品を提供することを目的とする。
【課題を解決するための手段】
【０００７】
請求項１の発明は、表面が画像記録面とされた複数枚の画像記録媒体を積層してなる画像記録媒体積層体であって、最下層の画像記録媒体が、裏面が下、表面が上となる向きで配置され、その上側に順次、表面と表面、裏面と裏面が向かい合う向きで複数枚の画像記録媒体が積層されていることを特徴とする。
【０００８】
請求項２の発明は、請求項１において、最上層の画像記録媒体の表面が上向きの場合、その表面上に保護シートが積層されたことを特徴とする。
【０００９】
請求項３の発明は、請求項１または２において、前記画像記録媒体が、表面側に画像記録装置による画像記録が可能な画像記録面を有する基体と、前記基体の裏面側に設けられ基体を載置面に対して所定の角度に保持可能な基体保持部と、を具備するものであることを特徴とする。
【００１０】
請求項４の発明は、請求項１または２に記載の画像記録媒体積層体が、画像記録媒体の積層状態を保持可能な防湿袋に収容され、箱に詰められた画像記録媒体パッケージであることを特徴とする。
【００１１】
請求項５の発明は、表面が画像記録面とされた複数枚の画像記録媒体を積層する画像記録媒体の積層方法であって、最下層の画像記録媒体を、裏面が下、表面が上となる向きで配置し、その上側に順次、表面と表面、裏面と裏面が向かい合う向きで複数枚の画像記録媒体を積層することを特徴とする。
【００１２】
請求項６の発明は、請求項５において、最上層の画像記録媒体の表面が上向きの場合、その表面上に保護シートを積層することを特徴とする。
【００１３】
請求項７の発明は、前記画像記録媒体が、表面側に画像記録装置による画像記録が可能な画像記録面を有する基体と、前記基体の裏面側に設けられ基体を載置面に対して所定の角度に保持可能な基体保持部と、を具備するものであることを特徴とする。
【００１４】
請求項８の発明は、請求項５〜７の何れか１項に記載の画像記録媒体の積層方法により積層された画像記録媒体の保管方法であって、前記画像記録媒体の積層状態を保持可能な防湿袋に収容して、箱に詰めたことを特徴とする。
【発明の効果】
【００１５】
請求項１または５の発明によれば、画像記録面同士を合わせた状態で画像記録媒体を順次積層したので、各画像記録媒体の画像記録面を保護することができる。従って、請求項３また７の発明のように、基体の裏面側に基板保持部が加工されている場合であっても、その加工面を画像記録面に触れないようにすることができ、無用な傷付き、汚れ、剥がれ等から画像記録面を保護することができる。
【００１６】
また、請求項２または６の発明のように、最上層の画像記録媒体の表面が上向きの場合には、その表面上に保護シートを配置したので、常に表面側を外界から覆い隠すように保護することができる。
【００１７】
また、請求項４または８の発明のようにパッキングすることで、前記セット状態を崩さずに保管、搬送、販売することができる。
【発明を実施するための最良の形態】
【００１８】
以下、本発明の実施形態を図面を参照して説明する。
まず、ここで使用するフォトスタンドを兼ねたフォトボード状の画像記録媒体について図１〜図９を参照して先に説明し、その後で、本発明の実施形態の画像記録媒体積層体及びパッケージ品について図１０〜図１２を参照して説明する。
【００１９】
図１は実施形態の画像記録媒体の全体構成図で、（ａ）は表面側から見た平面図、（ｂ）は側面図、（ｃ）は裏面側から見た平面図である。図２は画像記録媒体の基体の積層構造を示す模式図、図３は画像記録媒体の表面側から見た外観を示す斜視図、図４は画像記録媒体に対する印刷時の様子を概略的に示す側面図、図５は画像記録媒体の補助部の切り離しの様子を示す図で、（ａ）は切り離し前のフラットな状態を示す側面図、（ｂ）は切り離し途中の状態を示す側面図である。また、図６〜図９は画像記録媒体をフォトスタンドして使用する場合の組立手順の説明図であって、図６は一方の補助部を切り離した状態の画像記録媒体を裏面側から見た斜視図、図７は基体保持部である脚部や脚支持部の引き起こし途中の状態を示す斜視図、図８は基体を縦置きした際の裏面側から見た斜視図、図９は基体を横置きした場合の裏面側から見た斜視図である。
【００２０】
図１及び図６に全体構成を示すように、この画像記録媒体Ｓは、表面側に画像記録装置により画像記録可能な画像記録面Ｐを有する長方形状の基体１と、基体１の長手方向両端に画像記録面Ｐと面一で且つ基体１から取り外し可能な張出片として取り付けられた長方形状の補助部（耳）２と、基体１をテーブル等の載置面に対して所定の角度で立てる際に基体１を保持する基体保持部としての、基体１の裏面側に設けられた４組の脚部２１Ａ〜２１Ｄ及び脚支持部２２Ａ〜２２Ｄとから構成されている。
【００２１】
４組の脚部２１Ａ〜２１Ｄ及び脚支持部２２Ａ〜２２Ｄは、長方形状の基体１の４つの辺に対応して設けられており、第１の脚部２１Ａ及び脚支持部２２Ａの組と、第２の脚部２１Ｂ及び脚支持部２２Ｂの組は、基体１の一方の長辺（図１（ｃ）の下の辺）に沿って並べて配置され、基体１の長さ方向の中心線Ｌ１に対して互いに線対称の関係にある。また、第３の脚部２１Ｃ及び脚支持部２２Ｃの組と、第４の脚部２１Ｄ及び脚支持部２２Ｄの組は、基体１の他方の長辺（図１（ｃ）の上の辺）に沿って並べて配置され、基体１の長さ方向の中心線Ｌ１に対して互いに線対称の関係にある。また、第１の脚部２１Ａ及び脚支持部２２Ａの組と、第４の脚部２１Ｄ及び脚支持部２２Ｄの組は、基体１の一方の短辺（図１（ｃ）の左の辺）に沿って並べて配置され、基体１の幅方向の中心線Ｌ２に対して互いに線対称の関係にある。また、第２の脚部２１Ｂ及び脚支持部２２Ｂの組と、第３の脚部２１Ｃ及び脚支持部２２Ｃの組は、基体１の他方の短辺（図１（ｃ）の右の辺）に沿って並べて配置され、基体１の幅方向の中心線Ｌ２に対して互いに線対称の関係にある。
【００２２】
各脚部２１Ａ〜２１Ｄは、接続部（折り曲げ線）２４を介して基体１と一体に設けられており、接続部２４が折り曲げられることにより、基体１を載置面に対して所定の角度に保持する機能を発揮する。また、脚支持部２２Ａ〜２２Ｄは、接続部（折り曲げ線）２６を介して基体１と一体に設けられ、接続部２６が折り曲げられることにより、基体１に対して脚部２１Ａ〜２１Ｄを所定角度に位置決めする機能を発揮する。
【００２３】
脚支持部２２Ａ〜２２Ｄには、脚部２１Ａ〜２１Ｄを介して基体１を第１の位置に支持するように脚部２１Ａ〜２１Ｄ側の係合溝２８と係合可能な第１の切欠溝２７ａと、脚部２１Ａ〜２１Ｄを介して基体１を第２の位置に支持するように脚部２１Ａ〜２１Ｄ側の係合溝２８と係合可能な第２の切欠溝２７ｂとが設けられている。ここで、第１の位置は、基体１をテーブル上などに縦置きする場合に基体１を安定支持できる位置であり、第２の位置は、基体１をテーブル上などに横置きする場合に基体１を安定支持できる位置である。
【００２４】
次に図２を参照して画像記録媒体の積層構造について説明する。補助部２も同じ積層構造をなしているので、ここでは代表として基体１側の積層構造についてのみ説明する。
【００２５】
基体１は、表側の第１の基体１１と裏側の第２の基体１２とを、表裏対称な向きで積層して張り合わせた構造をなしている。第１の基体１１と第２の基体１２は、全く同じ構造の２層体からなり、各２層体は、上側の画像記録層１６と、それを支持する下側の支持層１７とからなる。画像記録層１６は、例えば、基材上にインク受容層１６ａを積層してなるインクジェット用紙からなり、支持層１７は厚紙からなる。基体１は、このように４層を積層した構造をなしており、表面側から裏面側に向かって、第１層に画像記録層１６、第２層に第１の支持層１７、第３層に第２の支持層１７、第４層に画像記録層１６が並んでいる。
【００２６】
第１の基体１１と第２の基体１２を、同じ構造の２層体で構成し、表裏対称な向きで張り合わせたのは、湿度変化等による基体１のカールを防止するためであり、特に第２の基体１２側（裏面側）の画像記録層１６が、表裏のバランスをとり、カール防止層としての機能を果たす。
【００２７】
上記インク受容層１６ａは、基材上に少なくとも無機粒子を含有するものである。上記基材としては、ポリエチレン、ポリプロピレン、ポリエチレンテレフタレート（PET）等のプラスチックフィルム、上質紙、コート紙、ラミネート紙等の紙材からなるシート等があげられる。
【００２８】
上記無機粒子としては、例えば、多孔性非晶質シリカ、多孔性非晶質アルミナ、多孔性非晶質炭酸マグネシウム等が好ましく用いられる。また、無機粒子の含有量は、インク受容層１６ａの乾燥重量に対して、好ましくは３０〜９０重量％である。
【００２９】
上記インク受容層１６ａには、無機粒子のバインダーとして、ポリビニルアルコール、酢酸ビニル、アクリルなどの水溶性高分子またはエマルジョンが含有される。バインダーの含有量は、上記多孔性無機粒子１００重量部に対して、好ましくは５〜６０重量部である。また、インク受容層１６ａには、必要に応じ、染料定着剤、蛍光増白剤、防カビ剤、防腐剤、界面活性剤、増粘剤、ｐＨ調整剤、消泡剤、硬膜剤、レベリング剤、紫外線吸収剤等の各種添加剤の1種又は2種以上を含有することができる。
【００３０】
インク受容層１６ａの形成には、無機粒子とバインダー等を含む塗工液を、ロールコーティング法、ロッドバーコーティング法、エアナイフコーティング法等の各種の方法で基材上に塗工することにより行うことが出来る。このときのインク受容層１６ａの厚みは、インク吸収性や粉落ち防止等の観点から、好ましくは１０〜６０μmである。また、インク受容層１６ａの質感、風合いなどは、特に限定されず、マット調でもよく、キャスト法により鏡面光沢仕上げされたような高光沢調のもの、あるいは半光沢調でもよい。
【００３１】
前述した４組の脚部２１Ａ〜２１Ｄ及び脚支持部２２Ａ〜２２Ｄは、第２の基体１２側に設けられており、第２の基体１２の一部に所定の輪郭の切断線２３、２４を入れることで、接続部２４、２６の屈曲に応じて引き起こし可能に形成されている。なお、切断線２３、２５の切り込みの深さは、第２の基体１２の全層分に及んでいるものの、第１の基体１１側には達していない。
【００３２】
また、第２の基体１２には、脚部２１Ａ〜２１Ｄ及び脚支持部２２Ａ〜２２Ｄに隣接して開口２９が設けられている。これらの開口２９は、脚部２１Ａ〜２１Ｄ及び脚支持部２２Ａ〜２２Ｄを引き起こす際に、指等を差し込んで作業をやりやすくするためのものである。
【００３３】
次に補助部２と基体１の関係について述べる。
補助部２は、基体１の長手方向両端の短辺部分に、必要最小寸法だけ張り出した形で連設されている。この補助部２は、図４に示すように、画像記録装置の印刷ヘッド５１により基体１に画像記録を行う際の、画像記録媒体Ｓの長さを稼ぐために主に設けられている。つまり、印刷時には、ローラ５２、５３によって安定的に画像記録媒体Ｓを支持しておかなければならないが、基体１の端部ぎりぎりまで印刷しようとする場合、画像記録媒体Ｓがそこで終わっていると、支持が不安定になりやすい。そのため、補助部２を設けることで、画像記録媒体Ｓの長さを延長し、支持の安定を図るようにしている。このように構成することで、基体１の端部ぎりぎりの位置まで画像記録（いわゆるフチ無し印刷）を行うことができるようになる。また、補助部２は、画像記録を意図しない部分であるため、この補助部２を持って画像記録媒体Ｓを取り扱うことにより、基体１の画像記録面を汚さないように保護することもできる。
【００３４】
この補助部２の層構造は、基体１のそれと全く同じであり、補助部２の表面と基体１の画像記録面Ｐは面一で連続し、印刷ヘッド等に引っ掛からないようになっている。また、補助部２を、基体１から容易に切り離し可能とするために、補助部２と表面側の第１の基体１１との境界には直線状の連続切断部５、補助部２と裏面側の第２の基体１２との境界には直線ミシン目状の断続切断部６が形成されている。裏面側の断続切断部６の非カット部分は、補助部２を基体１に繋がった状態に保っている。この場合、補助部２の長手方向端縁から表面側の連続切断部５までの長さＶ１が、補助部２の長手方向端縁から裏面側の断続切断部６までの長さＶ２よりも短く設定されている。そして、図５（ｂ）に示すように、位置をずらした連続切断部５と断続切断部６と間の部分７において、第２の基体１２と補助部２とが取り外し可能な量の接着剤により接着されている。
【００３５】
また、補助部２の幅方向（基体１の幅方向と同じ）の端部には、その部分だけ補助部２を無くした切欠３が設けられている。この切欠３は、画像記録媒体の上面または下面を検出片でなぞることにより用紙検出を行う機械式の用紙検出器を備えたプリンタで画像記録を行う場合などに、前記の連続切断部５や断続切断部６に検出片が引っ掛かるのを避けることを主な目的として設けられている。
【００３６】
なお、直線状に形成された連続切断部５の長さ方向の一端（基体１の長辺と交差する端部）は、補助部２を切り離したとき、基体１の角部に丸みを付けるために、小さな円弧状に湾曲している。一方、断続切断部６は、後述するように表側から隠れる位置にあるので、長さ方向の両端は直線状カットのままで終わっている。
【００３７】
次に上記構成の画像記録媒体Ｓの使い方及び作用について説明する。
この画像記録媒体Ｓに画像を印刷する場合には、図３に示すように、表面側の画像記録面Ｐに記録する。次いで、図６に矢印Ａで示すように、不要になった両端の補助部２を切り離す。その際、図５に示すように、表面の第１の基体側１１の連続切断部５は予めほとんど切断されているので、裏面の第２の基体１２側の断続切断部６のみを引き千切るようにして補助部２を取り外す。
【００３８】
こうして断続切断部６で切り離した際には、切断面に凹凸ができてしまうが、裏面側（第２の基体１２側）の断続切断部６の位置は、表面側（第１の基体１１側）の連続切断部５の位置よりも基体１長手方向中央寄りにあるので、前記凹凸は、補助部２が切り離された第１の基体１１の裏側に隠れることになる。ここで、連続切断部５で切り離された第１の基体１１の端縁は、機械カットによるきれいな切断線となっているので、補助部２が切り離された後の基体１の端縁は、きれいな切断線だけが前方から見える状態になり、見栄えのあまり好ましくない部分が表側から見えなくなって、正面から見た際の美観を損なうことがない。
【００３９】
次に画像の向きによりテーブル等の載置面上に立てる向きを決め、基体１の４辺のうち下辺になる辺に沿った２組の脚部２１Ａ〜２１Ｄ及び脚支持部２２Ａ〜２２Ｄを選択し、それぞれ接続部２４、２６を折り曲げながら該当する２組の脚部２１Ａ〜２１Ｄ及び脚支持部２２Ａ〜２２Ｄを矢印Ｂ、Ｃの方向に引き起こす。図７は基体１を縦置きする場合の例を示し、一方の短辺に沿った２組の脚部２１Ａ、２１Ｄ及び脚支持部２２Ａ、２２Ｄを引き起こしている状態を示している。なお、脚部２１Ａ、２１Ｄ及び脚支持部２２Ａ、２２Ｄを引き起こす際に、隣接して開口２９を設けてあるので、引き起こしやすい。
【００４０】
脚部２１Ａ、２１Ｄ及び脚支持部２２Ａ、２２Ｄをある程度引き起こしたら、図８に示すように、脚部２１Ａ、２１Ｄの係合溝２８に、脚支持部２２Ａ、２２Ｄのいずれかの切欠溝２７ａ、２７ｂを係合させる。この場合、第１の切欠溝２７ａは縦置き用、第２の切欠溝２７ｂは横置き用に設定してあるので、縦置き用の第１の切欠溝２７ａを脚部２１Ａ、２１Ｄの係合溝２８に係合させる。こうすることで、係合部分が動かなくなり、脚部２１Ａ、２１Ｄの角度を固定することができる。従って、一方の短辺を載置面上に載せた状態で、裏面側の延ばした脚部２１Ａ、２１Ｄによって、基体１を所定の角度で縦置き姿勢で安定的に保持することができる。
【００４１】
反対向きに基体１を縦置きする場合は、脚部２１Ｂ、２１Ｃ及び脚支持部２２Ｂ、２２Ｃの組を選択し、同様の組み立てを行って載置面上に載置する。また、基体１を横置きする場合は、図９に示すように、置く向きに応じて脚部２１Ａ、２１Ｂ及び脚支持部２２Ａ、２２Ｂの組を選択するか、または脚部２１Ｂ、２１Ｃ及び脚支持部２２Ｂ、２２Ｃの組を選択するかして、同様の組み立てを行って載置面上に載置する。ただし、横置きの場合は、脚支持部２２Ａ〜２２Ｄの第２の切欠溝２７ｂと脚部２１Ａ〜２１Ｄの係合溝２８とを係合させることで、基体１の角度を決める。
【００４２】
このように、基体１の画像記録面Ｐに画像を記録した後、そのままを脚部２１Ａ〜２１Ｄ及び脚支持部２２Ａ〜２２Ｄを用いて基体１をテーブル等の載置面上に立てることができ、画像記録媒体Ｓをそのままフォトスタンドとして使用することができる。従って、別にフォトスタンドを用意する手間が不要であり、手軽に写真等の印刷物をテーブルの上に飾ることができる。
【００４３】
また、脚部２１Ａ〜２１Ｄ及び脚支持部２２Ａ〜２２Ｄの組を適当に選択して組み立てることにより、基体１を４方向に立てることができるし、脚部２１Ａ〜２１Ｄを、脚支持部２２Ａ〜２２Ｄによって所定角度に位置決めするので、誰が組み立てても、一定の角度で安定して基体１を保持することができる。
【００４４】
また、この画像記録媒体Ｓは、基体１を、画像記録面Ｐを有する第１の基体１１と第２の基体１２の張り合わせで構成し、第２の基体１２側に脚部２１Ａ〜２１Ｄ及び脚支持部２２Ａ〜２２Ｄを設けているので、脚部２１Ａ〜２１Ｄ及び脚支持部２２Ａ〜２２Ｄを設ける場合の切り込み（切断線）を入れる等の加工を、画像記録面Ｐを有する第１の基体１１側に影響を与えずに行うことができ、製作が容易になる。また、基体１を２枚の張り合わせで構成しているので、裏面側に脚部２１Ａ〜２１Ｄ及び脚支持部２２Ａ〜２２Ｄを設ける加工や、補助部２と基体１との境界にある切断部５、６の位置を、表面側と裏面側でずらす加工も容易に行うことができる。
【００４５】
次に上記構成の画像記録媒体Ｓを保管したり搬送したり販売したりする際の最適な形態について説明する。
この画像記録媒体Ｓは、表裏面ともフラットな面で構成されているものの、裏面側には、前述したように、脚部２１Ａ〜２１Ｄ及び脚支持部２２Ａ〜２２Ｄが引き起こし可能に設けられている。しかも、通常のプリント用紙よりもかなり厚めにでてきており、１枚１枚の重さもある。従って、通常のプリント用紙のように、画像記録面（表面）を同じ方向に向けて積層すると、画像記録面Ｐに脚部２１Ａ〜２１Ｄ及び脚支持部２２Ａ〜２２Ｄを形成した部分が当たることで、画像記録面Ｐに傷が付いたり汚れが付いたりし、記録画質の劣化を来すおそれがある。これを防ぐため、１枚１枚の画像記録媒体Ｓの間に保護シートを挟むこともできるが、そうすると、無用な保護シートの使用枚数が増えてしまい、コストアップにつながる。
【００４６】
そこで、例えば複数枚をセットにして販売する場合には、図１０に示すように、最下層の画像記録媒体Ｓを、裏面が下、表面が上となる向きで配置し、その上側に順次、表面と表面、裏面と裏面が向かい合う向きで複数枚の画像記録媒体Ｓを積層し、最上層の画像記録媒体Ｓの表面が上向きの場合、つまり、奇数枚の画像記録媒体Ｓを積層する場合には、その最上層の画像記録媒体Ｓの表面上に保護シート３０を積層することで、複数枚セットＳＵ１とする。そして、これを図１１に示すように、画像記録媒体Ｓの積層状態を保持可能な防湿性透明袋３２に収容して、箱３３に詰めることで、画像記録媒体のパッケージ品３５とする。このように梱包することで、画像記録面Ｐを保護することができ、高画質記録を保証することができる。
【００４７】
なお、図１２に示すように、偶数枚の画像記録媒体Ｓを積層してセットＳＵ２とする場合は、最上層の画像記録媒体Ｓの裏面が上向きになるので、保護シートで覆う必要はない。
【００４８】
次に、図１３を参照しながら、本発明に係る画像記録媒体Ｓの変形例を示す。
図１３は本変形例の画像記録媒体の全体構成図で、（ａ）は表面側から見た平面図、（ｂ）は側面図、（ｃ）は裏面側から見た平面図である。
【００４９】
図１３に示すように、この画像記録媒体Ｓ１は、表面側に画像記録装置により画像記録可能な画像記録面Ｐを有する長方形状の基体１０１と、基体１０１の長手方向両端に画像記録面Ｐと面一で且つ基体１０１から取り外し可能な張出片として取り付けられた長方形状の補助部（耳）１０２と、基体１をテーブル等の載置面に対して所定の角度で立てる際に基体１０１を保持する基体保持部としての、基体１０１の裏面側に設けられた４組の脚部１２１Ａ〜１２１Ｄ及び脚支持部１２２Ａ〜１２２Ｄとから構成されている。
【００５０】
４組の脚部１２１Ａ〜１２１Ｄ及び脚支持部１２２Ａ〜１２２Ｄは、長方形状の基体１０１の４つの辺に対応して設けられており、第１の脚部１２１Ａ及び脚支持部１２２Ａの組と、第２の脚部１２１Ｂ及び脚支持部１２２Ｂの組は、基体１０１の一方の長辺（図１（ｃ）の下の辺）に沿って並べて配置され、基体１０１の長さ方向の中心線Ｌ１に対して互いに線対称の関係にある。また、第３の脚部１２１Ｃ及び脚支持部１２２Ｃの組と、第４の脚部１２１Ｄ及び脚支持部１２２Ｄの組は、基体１０１の他方の長辺（図１（ｃ）の上の辺）に沿って並べて配置され、基体１０１の長さ方向の中心線Ｌ１に対して互いに線対称の関係にある。また、第１の脚部１２１Ａ及び脚支持部１２２Ａの組と、第４の脚部１２１Ｄ及び脚支持部１２２Ｄの組は、基体１０１の一方の短辺（図１（ｃ）の左の辺）に沿って並べて配置され、基体１０１の幅方向の中心線Ｌ２に対して互いに線対称の関係にある。また、第２の脚部１２１Ｂ及び脚支持部１２２Ｂの組と、第３の脚部１２１Ｃ及び脚支持部１２２Ｃの組は、基体１０１の他方の短辺（図１（ｃ）の右の辺）に沿って並べて配置され、基体１０１の幅方向の中心線Ｌ２に対して互いに線対称の関係にある。
【００５１】
各脚部１２１Ａ〜１２１Ｄは、接続部（折り曲げ線）１２４を介して基体１０１と一体に設けられており、接続部１２４が折り曲げられることにより、基体１０１を載置面に対して所定の角度に保持する機能を発揮する。また、脚支持部１２２Ａ〜１２２Ｄは、接続部（折り曲げ線）１２６を介して基体１０１と一体に設けられ、接続部１２６が折り曲げられることにより、基体１０１に対して脚部１２１Ａ〜１２１Ｄを所定角度に位置決めする機能を発揮する。
【００５２】
脚支持部１２２Ａ〜１２２Ｄには、脚部１２１Ａ〜１２１Ｄを介して基体１０１を第１の位置に支持するように脚部１２１Ａ〜１２１Ｄ側の係合溝１２８と係合可能な切欠溝１２７がそれぞれ設けられている。
画像記録媒体Ｓ１のその他の層構造、機能については、先に説明した画像記録媒体Ｓと同様である。
【００５３】
本変形例では、画像記録媒体Ｓ１の画像記録面Ｐに画像を記録し、そして画像記録媒体Ｓ１の基体１０１を縦置きに配置する場合には、補助部１０２，１０２を取り除き、脚部１２１Ａ、１２１Ｄ及び脚支持部１２２Ａ、１２２Ｄをある程度引き起こして、脚部１２１Ａ、１２１Ｄの係合溝１２８，１２８に、脚支持部１２２Ａ、１２２Ｄの切欠溝１２７、１２７を係合させる。こうすることで、係合部分が動かなくなり、脚部１２１Ａ、１２１Ｄの角度を固定することができる。従って、一方の短辺を載置面上に載せた状態で、裏面側の延ばした脚部１２１Ａ、１２１Ｄによって、基体１を所定の角度で縦置き姿勢で安定的に保持することができる。
【００５４】
また、画像記録媒体Ｓ１の画像記録面Ｐに画像を記録し、そして画像記録媒体Ｓ１の基体１０１を横置きに配置する場合には、補助部１０２，１０２を取り除き、脚部１２１Ａ、１２１Ｂ及び脚支持部１２２Ａ、１２２Ｂをある程度引き起こして、脚部１２１Ａ、１２１Ｂの係合溝１２８，１２８に、脚支持部１２２Ａ、１２２Ｂの切欠溝１２７、１２７を係合させる。こうすることで、係合部分が動かなくなり、脚部１２１Ａ、１２１Ｂの角度を固定することができる。従って、一方の短辺を載置面上に載せた状態で、裏面側の延ばした脚部１２１Ａ、１２１Ｂによって、基体１を所定の角度で横置き姿勢で安定的に保持することができる。
【００５５】
以上説明した本変形例の画像記録媒体Ｓ１のように、脚支持部１２２Ａ〜１２２Ｄに切欠溝１２７がそれぞれ一つだけ設けられた構成であっても、先に説明した画像記録媒体Ｓと同様の作用効果を奏することが可能である。
【図面の簡単な説明】
【００５６】
【図１】本発明に係る実施形態の画像記録媒体の全体構成図で、（ａ）は表面側から見た平面図、（ｂ）は側面図、（ｃ）は裏面側から見た平面図である。
【図２】前記画像記録媒体の基体の積層構造を示す模式図である。
【図３】前記画像記録媒体の表面側から見た外観を示す斜視図である。
【図４】前記画像記録媒体に対する印刷時の様子を概略的に示す側面図である。
【図５】前記画像記録媒体の補助部の切り離しの様子を示す図で、（ａ）は切り離し前のフラットな状態を示す側面図、（ｂ）は切り離し途中の状態を示す側面図である。
【図６】前記画像記録媒体をフォトスタンドして使用する場合の組立手順の説明図であって、一方の補助部を切り離した状態の画像記録媒体を裏面側から見た斜視図である。
【図７】基体保持部である脚部や脚支持部の引き起こし途中の状態を示す斜視図である。
【図８】基体を縦置きした場合の裏面側から見た斜視図である。
【図９】基体を横置きした場合の裏面側から見た斜視図である。
【図１０】前記画像記録媒体の複数枚セットの例を示す斜視図である。
【図１１】複数枚セットのパッケージの説明図である。
【図１２】偶数枚セットの例を示す斜視図である。
【図１３】本発明に係る変形例の画像記録媒体の全体構成図で、（ａ）は表面側から見た平面図、（ｂ）は側面図、（ｃ）は裏面側から見た平面図である。
【符号の説明】
【００５７】
Ｐ  画像記録面
Ｓ  画像記録媒体
１  基体
２１Ａ〜２１Ｄ  脚部（基板保持部）
２２Ａ〜２２Ｄ  脚支持部（基板保持部）
ＳＵ１，ＳＵ２  複数枚セット
３０  保護シート
３２  防湿性透明袋
３３  箱
３５  パッケージ品
【図１】
2005074812.tif 000003
【図２】
2005074812.tif 000004
【図３】
2005074812.tif 000005
【図４】
2005074812.tif 000006
【図５】
2005074812.tif 000007
【図６】
2005074812.tif 000008
【図７】
2005074812.tif 000009
【図８】
2005074812.tif 000010
【図９】
2005074812.tif 000011
【図１０】
2005074812.tif 000012
【図１１】
2005074812.tif 000013
【図１２】
2005074812.tif 000014
【図１３】
2005074812.tif 000015